(57)【要約】  本発明に係る基地局は、Ｄ２Ｄ近傍サービスをサポートする移動通信システムにおいて用いられる。前記基地局は、前記基地局のセル内に位置し、Ｄ２Ｄ同期元に設定されたユーザ端末に対して、所定の条件が満たされた場合に、Ｄ２Ｄ同期信号の送信を停止させるための指示を送信する送信部を備える。
2016021701.tif 000002
【特許請求の範囲】
【請求項１】
Ｄ２Ｄ近傍サービスをサポートする移動通信システムにおいて用いられる基地局であって、
前記基地局のセル内に位置し、Ｄ２Ｄ同期元に設定されたユーザ端末に対して、Ｄ２Ｄ同期信号の送信を停止させるための指示を送信する送信部を備える基地局。
【請求項２】
前記送信部は、前記セルのセル端から前記ユーザ端末が離れたことを示す条件が満たされた場合、前記ユーザ端末に対して前記指示を送信する請求項１に記載の基地局。
【請求項３】
前記送信部は、前記ユーザ端末からの受信信号の測定結果が閾値を超える場合、前記ユーザ端末に対して前記指示を送信する請求項２に記載の基地局。
【請求項４】
前記送信部は、前記ユーザ端末からの測定報告に含まれる前記セルからの受信信号の測定結果が閾値を超える場合、前記ユーザ端末に対して前記指示を送信する請求項２に記載の基地局。
【請求項５】
前記ユーザ端末を前記Ｄ２Ｄ同期元に設定する制御部をさらに備え、
前記送信部は、前記ユーザ端末からの前記Ｄ２Ｄ同期元の設定解除の要求を受信した場合、前記ユーザ端末に対して前記指示を送信する請求項１に記載の基地局。
【請求項６】
Ｄ２Ｄ近傍サービスをサポートする移動通信システムにおいて用いられるユーザ端末であって、
前記ユーザ端末が、セル内に位置し且つＤ２Ｄ同期元として設定された場合に、Ｄ２Ｄ同期信号の送信を開始する制御を行う制御部を備え、
前記制御部は、所定の条件が満たされた場合に、前記Ｄ２Ｄ同期信号の送信を停止する制御を行うユーザ端末。
【請求項７】
前記所定の条件は、前記Ｄ２Ｄ同期信号の送信を停止させるための指示を、前記セルを管理する基地局から前記ユーザ端末が受信したことである請求項６に記載のユーザ端末。
【請求項８】
前記所定の条件は、前記セルのセル端から前記ユーザ端末が離れたことを示す条件である請求項６に記載のユーザ端末。
【請求項９】
前記所定の条件は、前記ユーザ端末における前記セルからの受信信号の測定結果が閾値を超えることである請求項６に記載のユーザ端末。
【請求項１０】
前記所定の条件は、前記ユーザ端末における他セルからの受信信号の測定結果が閾値を超えることである請求項６に記載のユーザ端末。
【請求項１１】
前記所定の条件は、前記Ｄ２Ｄ同期信号の送信を開始してから所定時間経過したことである請求項６に記載のユーザ端末。
【請求項１２】
前記所定の条件は、前記ユーザ端末が受信したＤ２Ｄ関連信号の送信元であり、且つ、前記セルのセル外に位置する他のユーザ端末の数が閾値未満である請求項６に記載のユーザ端末。
【請求項１３】
前記制御部は、前記Ｄ２Ｄ同期信号の送信を停止した後、前記セルに前記Ｄ２Ｄ同期信号の送信停止報告を送信する請求項６に記載のユーザ端末。
【請求項１４】
Ｄ２Ｄ近傍サービスをサポートする移動通信システムにおいて用いられるユーザ端末であって、
セルカバレッジ外において、基地局に由来するＤ２Ｄ同期信号の受信に応じて、自身のＤ２Ｄ同期信号の送信を停止し、前記基地局に由来するＤ２Ｄ同期信号に同期する制御部を備えるユーザ端末。
【発明の詳細な説明】
【技術分野】
【０００１】
本発明は、Ｄ２Ｄ近傍サービスをサポートする移動通信システムにおいて用いられる基地局及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するＤ２Ｄ発見手順（Ｄｉｓｃｏｖｅｒｙ）と、直接的な端末間通信であるＤ２Ｄ通信（Ｃｏｍｍｕｎｉｃａｔｉｏｎ）と、を含む。【０００４】
また、ユーザ端末は、Ｄ２Ｄ同期元である場合、Ｄ２Ｄ同期信号を送信し、Ｄ２Ｄ非同期元である場合、受信したＤ２Ｄ同期信号に基づいて同期する。
【先行技術文献】
【非特許文献】
【０００５】
【非特許文献１】３ＧＰＰ技術報告書  「ＴＲ  ３６．８４３  Ｖ１２．０．１」  ２０１４年３月２７日
【発明の概要】
【０００６】
一実施形態に係る基地局は、Ｄ２Ｄ近傍サービスをサポートする移動通信システムにおいて用いられる。前記基地局は、前記基地局のセル内に位置し、Ｄ２Ｄ同期元に設定されたユーザ端末に対して、Ｄ２Ｄ同期信号の送信を停止させるための指示を送信する送信部を備える。
【図面の簡単な説明】
【０００７】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係るプロトコルスタック図である。
【図５】図５は、実施形態に係る無線フレームの構成図である。
【図６】図６は、本実施形態に係るＤ２Ｄ同期信号を説明するための図である。
【図７】図７は、本実施形態に係るＤ２Ｄ同期信号の送信に用いられる無線リソースの配置を説明するための図である。
【図８】図８は、本実施形態に係るＤ２Ｄ同期信号の送信に用いられる無線リソースの配置を説明するための図である。
【図９】図９は、実施形態に係る動作を説明するための説明図である。
【図１０】付記に係る提案プロシージャのステップを示す図である。
【図１１】付記に係る提案プロシージャのシグナリングを示す図である。
【発明を実施するための形態】
【０００８】
［実施形態の概要］
実施形態に係る基地局は、Ｄ２Ｄ近傍サービスをサポートする移動通信システムにおいて用いられる。前記基地局は、前記基地局のセル内に位置し、Ｄ２Ｄ同期元に設定されたユーザ端末に対して、Ｄ２Ｄ同期信号の送信を停止させるための指示を送信する送信部を備える。
【０００９】
前記送信部は、前記セルのセル端から前記ユーザ端末が離れたことを示す条件が満たされた場合、前記ユーザ端末に対して前記指示を送信してもよい。
【００１０】
前記送信部は、前記ユーザ端末からの受信信号の測定結果が閾値を超える場合、前記ユーザ端末に対して前記指示を送信してもよい。
【００１１】
前記送信部は、前記ユーザ端末からの測定報告に含まれる前記セルからの受信信号の測定結果が閾値を超える場合、前記ユーザ端末に対して前記指示を送信してもよい。
【００１２】
前記基地局は、前記ユーザ端末を前記Ｄ２Ｄ同期元に設定する制御部をさらに備えてもよい。前記送信部は、前記ユーザ端末からの前記Ｄ２Ｄ同期元の設定解除の要求を受信した場合、前記ユーザ端末に対して前記指示を送信してもよい。
【００１３】
実施形態に係るユーザ端末は、Ｄ２Ｄ近傍サービスをサポートする移動通信システムにおいて用いられる。前記ユーザ端末は、前記ユーザ端末が、セル内に位置し且つＤ２Ｄ同期元として設定された場合に、Ｄ２Ｄ同期信号の送信を開始する制御を行う制御部を備える。前記制御部は、所定の条件が満たされた場合に、前記Ｄ２Ｄ同期信号の送信を停止する制御を行う。
【００１４】
前記所定の条件は、前記Ｄ２Ｄ同期信号の送信を停止させるための指示を、前記セルを管理する基地局から前記ユーザ端末が受信したことであってもよい。
【００１５】
前記所定の条件は、前記セルのセル端から前記ユーザ端末が離れたことを示す条件であってもよい。
【００１６】
前記所定の条件は、前記ユーザ端末における前記セルからの受信信号の測定結果が閾値を超えることであってもよい。
【００１７】
前記所定の条件は、前記ユーザ端末における他セルからの受信信号の測定結果が閾値を超えることであってもよい。
【００１８】
前記所定の条件は、前記Ｄ２Ｄ同期信号の送信を開始してから所定時間経過したことであってもよい。
【００１９】
前記所定の条件は、前記ユーザ端末が受信したＤ２Ｄ関連信号の送信元であり、且つ、前記セルのセル外に位置する他のユーザ端末の数が閾値未満であることであってもよい。
【００２０】
前記制御部は、前記Ｄ２Ｄ同期信号の送信を停止した後、前記セルに前記Ｄ２Ｄ同期信号の送信停止報告を送信してもよい。
【００２１】
実施形態に係るユーザ端末は、Ｄ２Ｄ近傍サービスをサポートする移動通信システムにおいて用いられる。前記ユーザ端末は、セルカバレッジ外において、基地局に由来するＤ２Ｄ同期信号の受信に応じて、自身のＤ２Ｄ同期信号の送信を停止し、前記基地局に由来するＤ２Ｄ同期信号に同期する制御部を備える。
【００２２】
［実施形態］
以下において、本発明をＬＴＥシステムに適用する場合の実施形態を説明する。
【００２３】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２４】
ＵＥ１００は、ユーザ端末に相当する。ＵＥ１００は、移動型の通信装置であり、接続先のセル（サービングセル）との無線通信を行う。ＵＥ１００の構成については後述する。
【００２５】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２６】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２７】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２８】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００２９】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３１】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３２】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を、制御部を構成するプロセッサ２４０’としてもよい。
【００３３】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３４】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３５】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３６】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３７】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３８】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００３９】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４０】
ＰＤＣＰ層は、ヘッダ圧縮・伸張、及び暗号化・復号化を行う。
【００４１】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４２】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４３】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４４】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４５】
（Ｄ２Ｄ近傍サービス）
以下において、Ｄ２Ｄ近傍サービスについて説明する。実施形態に係るＬＴＥシステムは、Ｄ２Ｄ近傍サービスをサポートする。Ｄ２Ｄ近傍サービスについては非特許文献１に記載されているが、ここではその概要を説明する。
【００４６】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【００４７】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００４８】
カバレッジ内では、例えばｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソースを示すＤ２Ｄリソース情報を、ブロードキャスト信号により送信する。Ｄ２Ｄリソース情報は、例えば、Ｄ２Ｄ発見手順に使用可能な無線リソースを示す情報（Ｄｉｓｃｏｖｅｒｙリソース情報）及びＤ２Ｄ通信に使用可能な無線リソースを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、Ｄ２Ｄ発見手順及びＤ２Ｄ通信を行う。
【００４９】
カバレッジ外又は部分的カバレッジでは、例えばＵＥ１００がＤ２Ｄ同期元となる。カバレッジ外では、Ｄ２Ｄ同期元であるＵＥ１００は、Ｄ２Ｄ近傍サービスに使用可能な無線リソースを示すＤ２Ｄリソース情報を、例えばＤ２Ｄ同期信号により送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を運搬する。或いは、Ｄ２ＤＳＳにＤ２Ｄリソース情報を関連付けることにより、ＰＤ２ＤＳＣＨを不要としてもよい。
【００５０】
Ｄ２Ｄ同期信号は、Ｄ２Ｄ同期信号の送信タイミング基準がｅＮＢ２００であるＵＥ１００によって送信される第１のＤ２Ｄ同期信号（Ｄ２ＤＳＳｕｅ＿ｎｅｔ）と、Ｄ２Ｄ同期信号の送信タイミング基準がｅＮＢ２００でないＵＥ１００によって送信される第２のＤ２Ｄ同期信号（Ｄ２ＤＳＳｕｅ＿ｏｏｎ）とがある。
【００５１】
Ｄ２Ｄ発見手順では、近傍端末を発見するための発見信号（以下、Ｄｉｓｃｏｖｅｒｙ信号）が送信される。Ｄ２Ｄ発見手順の方式として、ＵＥ１００に固有に割り当てられない無線リソースがＤｉｓｃｏｖｅｒｙ信号の送信に使用される第１の発見方式（Ｔｙｐｅ  １  ｄｉｓｃｏｖｅｒｙ）と、ＵＥ１００毎に固有に割り当てられる無線リソースがＤｉｓｃｏｖｅｒｙ信号の送信に使用される第２の発見方式（Ｔｙｐｅ  ２  ｄｉｓｃｏｖｅｒｙ）とがある。第２の発見方式では、Ｄｉｓｃｏｖｅｒｙ信号の送信毎に個別に割り当てられた無線リソース、又は、半固定的（ｓｅｍｉ−ｐｅｒｓｉｓｔｅｎｔｌｙ）に割り当てられた無線リソースが使用される。
【００５２】
また、Ｄ２Ｄ通信（Ｄ２Ｄ  Ｃｏｍｍｕｎｉｃａｔｉｏｎ）のモードとして、ｅＮＢ２００又はリレーノードがＤ２Ｄデータ（Ｄ２Ｄデータ及び／又は制御データ）を送信するための無線リソースを割り当てる第１のモード（Ｍｏｄｅ  １）と、ＵＥ１００自身が、Ｄ２Ｄデータを送信するための無線リソースをリソースプールから選択する第２のモード（Ｍｏｄｅ  ２）と、がある。ＵＥ１００は、いずれかのモードでＤ２Ｄ通信を行う。例えば、ＲＲＣコネクティッド状態のＵＥ１００は、第１のモードでＤ２Ｄ通信を行い、カバレッジ外のＵＥ１００は、第２のモードでＤ２Ｄ通信を行う。
【００５３】
また、ＵＥ１００は、Ｄ２Ｄ通信におけるデータの受信のための時間・周波数リソースの位置を示すスケジューリング割当（ＳＡ：Ｓｃｈｅｄｕｌｉｎｇ  Ａｓｓｉｇｎｍｅｎｔ）を送信し、他のＵＥ１００は、ＳＡによって示される時間・周波数リソースの位置を知ることによって、ＵＥ１００からのデータを受信する。
【００５４】
（Ｄ２Ｄ同期信号）
次に、Ｄ２Ｄ同期信号について、図６から図８を用いて説明する。図６は、本実施形態に係るＤ２Ｄ同期信号を説明するための図である。図７及び図８は、本実施形態に係るＤ２Ｄ同期信号の送信に用いられる無線リソースの配置を説明するための図である。
【００５５】
図６に示すように、Ｄ２Ｄ同期元であるＵＥ１００−１が、Ｄ２Ｄ同期信号を送信するケースを想定する。
【００５６】
Ｄ２Ｄ同期元であるＵＥ１００−１は、図７に示すようなＤ２Ｄ通信用の無線リソース（受信リソースプール）を用いる。具体的には、Ｄ２Ｄ通信用の無線リソースは、ＳＡ領域とデータ領域とに時間方向に分けられる。Ｄ２Ｄ通信用の無線リソースの時間・周波数方向における幅、及びＤ２Ｄ通信用の無線リソースの周期は、固定されている。Ｄ２Ｄ通信用の無線リソースの時間方向における幅は、ＶｏＩＰのサポートをするために、少なくとも２０ｍｓｅｃの倍数の設定にできることが好ましい。
【００５７】
ＳＡ領域は、複数のＳＡリソースプール（ＳＡ  ｐｏｏｌ  ０〜３）に周波数方向に分けられる。例えば、ＳＡリソースプールの周波数方向における幅は、１０ＲＢ又は１２ＲＢであり、ＳＡリソースプールの時間方向における幅は、４サブフレームである。
【００５８】
データ領域は、複数のデータリソースプール（Ｄａｔａ  ｐｏｏｌ  ０〜３）に周波数方向に分けられる。例えば、データリソースプールの周波数方向における幅は、１０ＲＢ又は１２ＲＢであり、データリソースプールの時間方向における幅は、３６サブフレームである。
【００５９】
複数のＳＡリソースプールのそれぞれと、複数のデータリソースプールのそれぞれとは、時間方向において対応付けられている。例えば、ＳＡリソースプール０とデータリソースプール０とは、「０」のリソースプールＩＤによって対応付けられている。
【００６０】
Ｄ２Ｄ通信用の無線リソースは、ＳＡリソース領域には、Ｄ２Ｄ同期信号を送信するための無線リソースプール（Ｄ２Ｄ同期プール）が配置されている。
【００６１】
具体的には、Ｄ２Ｄ同期プールは、時間方向において、ＳＡリソース領域の先頭シンボルから所定のシンボル（例えば、０から１３シンボル）まで配置され、且つ、周波数方向においてＤ２Ｄ通信用の無線リソースの周波数方向の中心の数ＲＢ（例えば、６ＲＢ）に亘って配置される。Ｄ２Ｄ同期プールの周期は、４０ｍｓｅｃで固定されていてもよい。
【００６２】
なお、第２のモードにおけるＤ２Ｄ通信用の無線リソースでは、第１のモードにおけるＰＵＣＣＨに対応する部分は、ブランクである。
【００６３】
図７に示すようなＤ２Ｄ通信用の無線リソース（ＳＡ領域とデータ領域とのセット）を時間方向において複数設けることができる。
【００６４】
図８に示すように、Ｄ２Ｄ同期プールには、Ｄ２Ｄ同期信号を送信するためのＤ２Ｄ同期リソースが割り当てられる。Ｄ２Ｄ同期元であるＵＥ１００−１は、Ｄ２Ｄ同期信号を送信するための設定（Ｄ２ＤＳＳ  ｃｏｎｆｉｇ．）がなされる。本実施形態では、図８に示すように、Ｄ２Ｄ同期信号を送信するための設定として、時間方向におけるＤ２Ｄ同期リソースの位置が異なる（具体的には、重複しない）２種類の設定がある。第１の発見方式では、Ｄ２Ｄ同期元であるＵＥ１００−１が、いずれかの設定を選択する。Ｄ２Ｄ同期信号どうしの干渉を抑制するために、ＵＥ１００−１は、いずれかの設定をランダムに選択してもよいし、他のＤ２Ｄ同期元のＵＥから受信したＤ２Ｄ同期信号に基づいて、他のＤ２Ｄ同期元のＵＥが設定していない設定を選択してもよい。各設定によって、用いられるＤ２Ｄ同期リソースの時間位置が異なる。第１の発見方式では、ＵＥ１００−１は、ＳＩＢ或いは専用のＲＲＣシグナリングによって、Ｄ２Ｄ同期信号を送信するための（事前）設定がなされる。一方、第２の発見方式では、Ｄ２Ｄ同期元であるＵＥ１００−１は、ｅＮＢ２００からの指示によって、いずれかの設定を選択する。
【００６５】
上述したように、Ｄ２Ｄ同期信号は、Ｄ２ＤＳＳ及びＰＤ２ＤＳＣＨを含む。Ｄ２ＤＳＳは、時間・周波数の同期基準を提供する信号である。加えて、Ｄ２ＤＳＳは、ＰＤ２ＤＳＣＨを復調するために用いられる。Ｄ２ＤＳＳの時間方向における幅は、例えば、２シンボルである。
【００６６】
Ｄ２ＤＳＳは、ＰＤ２ＤＳＳ及びＳＤ２ＤＳＳを含む。ＰＤ２ＤＳＳは、ＰＳＳと同様の役割であり、ＳＤ２ＤＳＳは、ＳＳＳと同様の役割である。ＰＤ２ＤＳＳは、Ｄ２Ｄ通信におけるプライマリ同期信号である。ＳＤ２ＤＳＳは、Ｄ２Ｄ通信におけるセカンダリ同期信号である。ＰＤ２ＤＳＳ及びＳＤ２ＤＳＳの時間方向における幅は、例えば、１又は２シンボルである。時間方向において、ＰＤ２ＤＳＳ、ＳＤ２ＤＳＳの順に配置される。
【００６７】
ＰＤ２ＤＳＣＨは、Ｄ２Ｄリソース情報を運搬する。具体的は、ＰＤ２ＤＳＣＨは、Ｄ２Ｄ通信用の無線リソースの周波数帯幅（例えば、リソースプールＩＤ）を示す情報を含む。当該情報は、少ないビット（例えば、３ビット）で示されることが望ましい。また、ＰＤ２ＤＳＣＨは、第２のモードで用いられる送信リソースプールを示す情報を含む。
【００６８】
ＰＤ２ＤＳＣＨは、Ｄ２Ｄ同期信号に含まれる情報がｅＮＢ２００由来の情報であるか否かを示す情報を含んでもよい。当該情報は、１ビットで示すことができる。ｅＮＢ２００由来の情報は、例えば、第１のモードにおけるリソースプール及び／又は第２のモードにおけるリソースプールを示す情報である。また、ＰＤ２ＤＳＣＨは、Ｄ２Ｄ同期信号に含まれる情報が他のＵＥ１００から転送されている場合、ホップ数を示す情報を含んでもよい。なお、Ｄ２Ｄ同期信号に含まれる情報は、転送されないことが好ましい。
【００６９】
ＰＤ２ＤＳＣＨは、ＣＰ長を指示するための情報を含んでもよい。当該情報は、１ビットで示すことができる。
【００７０】
ＰＤ２ＤＳＣＨの信号系列は、Ｄ２Ｄ同期信号を送信するための設定の種類によって異なる。このため、ＰＤ２ＤＳＣＨの信号系列に応じて、Ｄ２Ｄ同期信号がどこのリソースを用いて送信されたかを特定することができる。
【００７１】
なお、ＰＤ２ＤＳＣＨの時間方向における幅は、例えば、４シンボルである。
【００７２】
なお、カバレッジ外において用いられる受信リソースプールは、予め規定されている。
【００７３】
（実施形態に係る動作）
次に、実施形態に係る動作について、図９を用いて説明する。図９は、実施形態に係る動作を説明するための説明図である。
【００７４】
図９に示すように、ＵＥ１００−１は、ｅＮＢ２００が管理するセル２５０外に位置し、セル２５０においてＲＲＣアイドル状態である。一方、ＵＥ１００−２は、セル２５０内に位置し、セル２５０においてＲＲＣコネクティッド状態である。或いは、ＵＥ１００−２は、ＲＲＣアイドル状態であってもよい。
【００７５】
ＵＥ１００−２は、少なくともＤ２Ｄ同期リソースプールをモニタしていると仮定して説明を進める。ＵＥ１００−２は、Ｄ２Ｄ近傍サービスを利用するために、自発的にモニタしていてもよいし、ｅＮＢ２００からの指示に基づいて、モニタしていてもよい。
【００７６】
このような動作環境において、以下の動作が行われる。
【００７７】
ステップＳ１０において、ＵＥ１００−１は、Ｄ２Ｄ同期信号を送信する。ＵＥ１００−２は、Ｄ２Ｄ同期信号を受信（検知）する。ここでのＤ２Ｄ同期信号は、第２のＤ２Ｄ同期信号（Ｄ２ＤＳＳｕｅ＿ｏｏｎ）である。
【００７８】
ステップＳ２０において、ＵＥ１００−２は、（第２の）Ｄ２Ｄ同期信号を検知したことを示す検知情報（Ｄ２ＤＳＳ  ｄｅｔｅｃｔｉｏｎ  ｉｎｄｉｃａｔｉｏｎ）を、ｅＮＢ２００に送信する。ＵＥ１００−２は、受信したＤ２Ｄ同期信号の受信レベル（例えば、受信強度）が所定値以上である場合に、検知情報をｅＮＢ２００に送信してもよい。所定値は、例えば、Ｄ２Ｄ通信を行うために必要な受信電力値以上の値である。
【００７９】
また、ＵＥ１００−２は、セル２５０内に位置していないＵＥ１００からＤ２Ｄ同期信号を受信した場合に、検知情報をｅＮＢ２００に送信してもよい。従って、ＵＥ１００−２は、セル２５０内に位置するＵＥ１００からＤ２Ｄ同期信号を受信した場合には、検知情報をｅＮＢ２００に送信しなくてもよい。例えば、ＵＥ１００−２は、Ｄ２Ｄ同期信号の送信元のＵＥ１００がセル外に位置することを示すフラグ情報がＤ２Ｄ同期信号に含まれる場合には、検知情報をｅＮＢ２００に送信する。
【００８０】
或いは、ＵＥ１００−２は、第１のＤ２Ｄ同期信号を受信した場合には、検知情報をｅＮＢ２００に送信しなくてもよい。ＵＥ１００−２は、受信したＤ２Ｄ同期信号の送信タイミング基準がｅＮＢ２００であるか否かに基づいて受信したＤ２Ｄ同期信号が第１のＤ２Ｄ同期信号か第２のＤ２Ｄ同期信号かを判断できる。
【００８１】
検知情報は、検知情報の送信元ＵＥの識別子（例えば、Ｃ−ＲＮＴＩ）だけでなく、検知情報の送信元ＵＥの位置情報、受信した検知情報に含まれるＤ２Ｄ同期信号の送信元の識別子、Ｄ２Ｄ同期信号の受信電力などを含んでもよい。
【００８２】
ｅＮＢ２００は、ＵＥ１００−２から受信した検知情報に基づいて、検知情報の送信元をＤ２Ｄ同期元に設定するための設定情報を送信するか否かを判定する。例えば、ｅＮＢ２００は、以下の少なくともいずれかの場合に、設定情報を送信しないと判定してもよい。
【００８３】
第１に、ｅＮＢ２００は、例えば、検知情報の送信元のＵＥの位置情報に基づいて、検知情報の送信元のＵＥの近くに、他のＤ２Ｄ同期信号を送信するＵＥが存在する場合、設定情報を送信しないと判定する。
【００８４】
第２に、ｅＮＢ２００は、Ｄ２Ｄ同期信号の送信元のＵＥが、セル２５０内に位置する場合、設定情報を送信しないと判定する。
【００８５】
第３に、ｅＮＢ２００は、検知情報に含まれるＤ２Ｄ同期信号の受信電力が所定値以上である場合、設定情報を送信しないと判定する。
【００８６】
ステップＳ３０において、ｅＮＢ２００は、ＵＥ１００−２をＤ２Ｄ同期元に設定するための設定情報（Ｄ２Ｄ  Ｓｙｎｃ  Ｓｏｕｒｃｅ  ｉｎｄｉｃａｔｉｏｎ）を含むＲＲＣメッセージをＵＥ１００−２に送信する。
【００８７】
ＵＥ１００−２は、ｅＮＢ２００から受信した設定情報に基づいて、Ｄ２Ｄ同期信号を送信するための設定を行う。
【００８８】
なお、設定情報は、第２のモードにおける送信リソースプールを示す情報を含んでもよい。また、設定情報は、ＣＰ長を指示するための情報を含んでもよい。
【００８９】
ステップＳ４０において、ＵＥ１００−２は、Ｄ２Ｄ同期信号の送信を開始する。ＵＥ１００−１は、ＵＥ１００−２からのＤ２Ｄ同期信号を受信する。Ｄ２Ｄ同期信号は、第２のモードで用いられる送信リソースプールを示す情報を含んでもよい。なお、ここでのＤ２Ｄ同期信号は、第１のＤ２Ｄ同期信号（Ｄ２ＤＳＳｕｅ＿ｎｅｔ）である。
【００９０】
ＵＥ１００−１は、ＵＥ１００−２からのＤ２Ｄ同期信号の受信に応じて、Ｄ２Ｄ同期信号の送信を停止する。或いは、ＵＥ１００−１は、第２のＤ２Ｄ同期信号の代わりに、第１のＤ２Ｄ同期信号の送信を開始する。ＵＥ１００−１は、ＵＥ１００−２から受信した第１のＤ２Ｄ同期信号に含まれる情報に基づいて、第１のＤ２Ｄ同期信号を送信する。或いは、ＵＥ１００−１は、第２のＤ２Ｄ同期信号の送信を停止した後、ＵＥ１００−１の周辺に位置するセル外の他のＵＥの決定によってＤ２Ｄ同期信号の送信を開始してもよい。ＵＥ１００−１は、他のＵＥから第２のＤ２ＤＳＳを含むＤ２Ｄ同期信号の送信の要求を受けた場合に、第１のＤ２Ｄ同期信号の送信を開始してもよい。例えば、他のＵＥは、ＵＥ１００−２からのＤ２Ｄ同期信号を受信できない場合、ＵＥ１００−１のＤ２Ｄ同期信号の送信の要求を行う。
【００９１】
また、ＵＥ１００−１は、ＵＥ１００−２からのＤ２Ｄ同期信号に含まれる情報に基づいて、第２のモードで用いられる送信リソースプール（ＳＡリソースプール及びデータリソースプール）を知ることができる。ＵＥ１００−１は、ＵＥ１００−２からのＤ２Ｄ同期信号に基づいて、同期している期間は、送信リソースプールを用いて、Ｄ２Ｄ通信を行うことができる。
【００９２】
その後、ＵＥ１００−１は、ＵＥ１００−２から離れる方向に移動したと仮定して説明を進める。
【００９３】
ステップＳ５０において、ＵＥ１００−２は、Ｄ２Ｄ同期信号の送信を停止する。ＵＥ１００−２がＤ２Ｄ同期信号の送信を停止するトリガとして、ＵＥ主導のトリガとｅＮＢ主導のトリガがある。
【００９４】
まず、ＵＥ主導のトリガについて説明する。ＵＥ１００−２は、少なくとも以下のいずれかの条件が満たされた場合に、Ｄ２Ｄ同期信号の送信を停止する制御を行う。
【００９５】
第１に、ＵＥ１００−２は、セル２５０のセル端から離れたことを示す条件が満たされた場合に、Ｄ２Ｄ同期信号の送信を停止する。当該条件は、ＵＥ１００−２におけるセル２５０からの受信信号の測定結果が閾値を超えることである。或いは、当該条件は、ＵＥ１００−２における他セルからの受信信号の測定結果が閾値を超えることである。受信信号の測定結果は、例えば、受信電力又は受信品質の測定結果（ＲＳＲＰ、ＲＳＲＱ、ＳＮＲなどの測定結果）である。セル２５０からの受信電力／受信品質が閾値を超えた場合、ＵＥ１００−２が、セル端を離れて、ｅＮＢ２００（セル２５０の中央）に近づいたと判定できる。これにより、Ｄ２Ｄ同期信号を送信するＵＥ１００−２が、ｅＮＢ２００に与える干渉を低減できる。また、他のセルからの受信電力／受信品質が閾値を超えた場合、ＵＥ１００−２が、セル端を離れて、他のセルの中央に近づいたと判定できる。これにより、Ｄ２Ｄ同期信号を送信するＵＥ１００−２が、他のセルを管理する他のｅＮＢに与える干渉を低減できる。
【００９６】
第２に、ＵＥ１００−２は、Ｄ２Ｄ同期信号の送信を開始してから所定時間経過した場合に、Ｄ２Ｄ同期信号の送信を停止する。これにより、ＵＥ１００−２がＤ２Ｄ同期信号を送信し続けることを抑制できる。ＵＥ１００−２は、Ｄ２Ｄ同期信号を実際に送信開始した時刻を基準として、所定時間を計測してもよいし、ｅＮＢ２００からの設定情報の受信を基準として、所定時間を計測してもよい。
【００９７】
第３に、ＵＥ１００−２は、Ｄ２Ｄ近傍サービスの利用時に送信されるＤ２Ｄ関連信号の送信元であり、且つ、セル２５０外に位置する他のＵＥ（以下、セル外Ｄ２ＤＵＥ）の数が閾値未満である場合、Ｄ２Ｄ同期信号の送信を停止する。これにより、ＵＥ１００−２は、Ｄ２Ｄ近傍サービスを利用するＵＥが周囲に存在しない場合に、Ｄ２Ｄ同期信号を送信し続けることを避けることができる。
【００９８】
ＵＥ１００−２は、Ｄ２Ｄ関連信号（例えば、ＳＡ）が、Ｄ２Ｄ関連信号の送信元のＵＥがセルに在圏していないことを示す情報（ＵＥがセル内に位置することを示すフラグ情報／ＵＥがセル外に位置することを示すフラグ情報など）を含む場合、Ｄ２Ｄ関連信号の送信元のＵＥをセル外Ｄ２ＤＵＥとしてカウントする。或いは、ＵＥ１００−２は、セル２５０に在圏していない他のＵＥにＤ２Ｄ通信に使用する時間・周波数リソースを割り当てている場合、時間・周波数リソースを割り当てている他のＵＥの数をセル外Ｄ２ＤＵＥの数としてカウントする。
【００９９】
ここで、セル外Ｄ２ＤＵＥの数は、単位時間当たりのセル外Ｄ２ＤＵＥの数であってもよい。また、閾値は、２以上の数であってもよいし、１であってもよい。閾値が１である場合、ＵＥ１００−２は、セル外Ｄ２ＤＵＥからのＤ２Ｄ関連信号を受信してから所定時間経過した後に、Ｄ２Ｄ同期信号の送信を停止してもよいし、セル外Ｄ２ＤＵＥの数が０とカウントした場合に、Ｄ２Ｄ同期信号の送信を停止してもよい。
【０１００】
なお、Ｄ２Ｄ関連信号は、ＳＡだけでなく、Ｄ２Ｄ同期信号、Ｄ２Ｄ発見信号、Ｄ２Ｄ通信信号であってもよい。
【０１０１】
ＵＥ１００−２は、Ｄ２Ｄ同期信号の送信を停止した後、ｅＮＢ２００にＤ２Ｄ同期信号の送信停止報告を送信してもよい。これにより、ｅＮＢ２００は、ＵＥ１００−２がＤ２Ｄ同期信号の送信を停止したことを知ることができるため、Ｄ２Ｄ同期元であるユーザ端末を適切に管理することができる。
【０１０２】
次に、ｅＮＢ主導のトリガについて説明する。ＵＥ１００−２は、ｅＮＢ２００からＤ２Ｄ同期信号の送信を停止させるための停止指示を受信した場合に、Ｄ２Ｄ同期信号の送信を停止する制御を行う。ｅＮＢ２００は、少なくとも以下の条件が満たされた倍に、停止指示（Ｓｔｏｐ  ｉｎｄｉｃａｔｉｏｎ）をＵＥ１００−２に送信する。
【０１０３】
第１に、ｅＮＢ２００は、ＵＥ１００−２がセル２５０のセル端から離れたことを示す条件が満たされた場合に、停止指示を送信する。当該条件は、ｅＮＢ２００において、ＵＥ１００−２からの受信信号の測定結果が閾値を超えることである。受信信号の測定結果は、例えば、受信電力又は受信品質の測定結果（ＲＳＲＰ、ＲＳＲＱ、ＳＮＲなどの測定結果）である。ここで、受信電力は、ｅＮＢ２００がＵＥ１００−２から受信する無線信号の電力である。例えば、セルラ通信用の無線信号の受信電力、Ｄ２Ｄ同期信号などのＤ２Ｄ関連信号の干渉電力などである。
【０１０４】
或いは、当該条件は、ＵＥ１００−２からの測定報告に含まれるセル２５０からの受信信号の測定結果が閾値を超えることである。ｅＮＢ２００は、上述のＵＥ主導のトリガと同様に、測定報告に基づいて、ＵＥ１００−２において、セル２５０からの受信電力／受信品質が閾値を超えている場合、停止指示を送信する。
【０１０５】
なお、ＵＥ１００は、周期的なトリガに基づいて、測定報告を送信してもよいし、セル２５０からの受信信号の測定結果が閾値を超えたことをトリガとして測定報告を送信してもよい。
【０１０６】
このように、ＵＥ１００−２がセル２５０のセル端から離れたことを示す条件が満たされた場合に、ｅＮＢ２００が停止指示を送信することによって、Ｄ２Ｄ同期信号を送信するＵＥ１００−２が、ｅＮＢ２００に与える干渉を低減できる。
【０１０７】
第２に、ｅＮＢ２００は、ＵＥ１００−２からＤ２Ｄ同期元の設定解除の要求を受信した場合に、停止指示を送信する。ＵＥ１００−２は、例えば、バッテリ残量が閾値未満である場合に、設定解除の要求を送信する。これにより、ｅＮＢ２００は、Ｄ２Ｄ同期元に設定したＵＥ１００−２からの要求に応じて、停止指示を送信するため、Ｄ２Ｄ同期元であるユーザ端末を適切に管理することができる。
【０１０８】
［その他の実施形態］
上述した実施形態では、移動通信システムの一例としてＬＴＥシステムを説明したが、ＬＴＥシステムに限定されるものではなく、ＬＴＥシステム以外のシステムに本発明を適用してもよい。
【０１０９】
［付記］
以下において、上述した実施形態の補足事項について説明する。本付記は、同期プロシージャに関する。
【０１１０】
（Ｄ２ＤＳＳホップのサポート）
提案１：  カバレッジ外ＵＥは、Ｄ２ＤＳＳｕｅ＿ｎｅｔにおけるＤ２ＤＳＳを検知した場合、それに応じてＤ２ＤＳＳを送信するべきではない、又は、自身のＤ２ＤＳＳの送信を停止するべきである。これによりセルラシステムへの干渉を緩和し得る。
【０１１１】
（同期系列（Synchronization sequence）のデザイン）
以下において、カバレッジ内に関する合意事項の一部に着目する。合意されているように、ＵＥは、少なくともｅＮＢからＤ２Ｄ同期元になるよう設定された場合にＤ２Ｄ同期元になることができる。これは、カバレッジ外ＵＥに対して同期信号を転送する必要があることを暗示している。しかしながら、ｅＮＢは、どのＵＥがカバレッジ外ＵＥのためのＤ２Ｄ同期元となるべきか把握していない。この問題を解決するためのメカニズムを提案する。図１０は、提案するプロシージャのステップを示し、図１１は、提案するプロシージャのシグナリングを示す。主なコンセプトは、カバレッジ内ＵＥが先ずカバレッジ外ＵＥからのＤ２ＤＳＳを検知し（図１０のステップ１）、Ｄ２ＤＳＳ検知インディケーションを送信することによりサービングｅＮＢに報告する（図１０のステップ２）ことである。
【０１１２】
提案２：  カバレッジ内ＵＥは、Ｄ２ＤＳＳ検知インディケーションを送信することにより、カバレッジ外ＵＥからのＤ２ＤＳＳの検知をｅＮＢに報告するべきである。
【０１１３】
ｅＮＢは、Ｄ２ＤＳＳ検知インディケーションを受信した後、Ｄ２ＤＳＳｕｅ＿ｏｏｎにおけるＤ２ＤＳＳの検知を報告したＵＥに同期元となるよう設定する（図１０のステップ３）。図１０のステップ４及び５は、カバレッジ外のＤ２Ｄ  ＵＥがカバレッジ内のＤ２Ｄ  ＵＥからのＤ２ＤＳＳの受信をどのように扱うかを示している。図１１は、いくつかのシグナリングの詳細を提供する。
【０１１４】
ステップ１：ＵＥ  Ａがカバレッジ内、ＵＥ  Ｂがカバレッジ外である。カバレッジ内ＵＥは、カバレッジ外ＵＥのＤ２ＤＳＳを監視する。一例として、ＵＥ  ＡはＵＥ  ＢのＤ２ＤＳＳを検知する。
【０１１５】
ステップ２：カバレッジ外ＵＥのＤ２ＤＳＳを検知したカバレッジ内ＵＥは、Ｄ２ＤＳＳ検知インディケーションをｅＮＢに送信する。一例として、ＵＥ  ＡはＤ２ＤＳＳ検知インディケーションを送信する。
【０１１６】
ステップ３：ｅＮＢは、Ｄ２Ｄ同期元インディケーションをＵＥ  Ａに送信する。
【０１１７】
ステップ４：カバレッジ外ＵＥが、ｅＮＢに由来するＤ２ＤＳＳｕｅ＿ｎｅｔにおけるＤ２ＤＳＳを検知した場合、自身のＤ２ＤＳＳの送信を停止する。一例として、ＵＥ  Ｂは、Ｄ２ＤＳＳの送信を停止する。
【０１１８】
ステップ５：ＵＥ  Ｂは、ＵＥ  ＡのＤ２ＤＳＳタイミングに従う。
【０１１９】
（Ｄ２ＤＳＳ停止信号）
ｅＮＢがＤ２ＤＳＳの送信をＵＥに設定することで合意されている。同様に、ｅＮＢがＤ２ＤＳＳの送信停止をＵＥに設定可能とすることを提案する。また、必要に応じて、ＵＥは自律的にＤ２ＤＳＳの送信を停止し得る。この場合、ＵＥは、Ｄ２ＤＳＳ停止報告をｅＮＢに送信する。
【０１２０】
提案３：  ｅＮＢがＤ２ＤＳＳの送信停止をＵＥに設定可能とするべきである。
【０１２１】
提案４：  必要に応じて、ＵＥは自律的にＤ２ＤＳＳの送信を停止し得る。この場合、ＵＥは、Ｄ２ＤＳＳ停止報告をｅＮＢに送信する。
【０１２２】
［相互参照］
米国仮出願第６２／０３５１１０号（２０１４年８月８日出願）の全内容が参照により本願明細書に組み込まれている。
【産業上の利用可能性】
【０１２３】
本発明は、通信分野において有用である。
【図１】
2016021701.tif 000003
【図２】
2016021701.tif 000004
【図３】
2016021701.tif 000005
【図４】
2016021701.tif 000006
【図５】
2016021701.tif 000007
【図６】
2016021701.tif 000008
【図７】
2016021701.tif 000009
【図８】
2016021701.tif 000010
【図９】
2016021701.tif 000011
【図１０】
2016021701.tif 000012
【図１１】
2016021701.tif 000013
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
ユーザ端末に対して、Ｄ２Ｄ同期信号を送信することを抑制させるための指示を送信する送信部を備える基地局。
【請求項２】
Ｄ２Ｄ同期信号を送信する制御を行う制御部を備え、
前記制御部は、前記Ｄ２Ｄ同期信号の送信を抑制させるための指示を基地局から受信したことに応じて、前記Ｄ２Ｄ同期信号の送信を抑制する制御を行うユーザ端末。
【請求項３】
Ｄ２Ｄ同期信号を送信する制御を行う制御部を備え、
前記制御部は、基地局が管理するセルから受信した信号の測定結果が閾値を超えたことに応じて、前記Ｄ２Ｄ同期信号の送信を抑制する制御を行うユーザ端末。
【手続補正２】
【補正対象書類名】明細書
【補正対象項目名】０００６
【補正方法】変更
【補正の内容】
【０００６】
一実施形態に係る基地局は、ユーザ端末に対して、Ｄ２Ｄ同期信号を送信することを抑制させるための指示を送信する送信部を備える。また、一実施形態に係るユーザ端末は、Ｄ２Ｄ同期信号を送信する制御を行う制御部を備え、前記制御部は、前記Ｄ２Ｄ同期信号の送信を抑制させるための指示を基地局から受信したことに応じて、前記Ｄ２Ｄ同期信号の送信を抑制する制御を行う。さらに、一実施形態に係るユーザ端末は、Ｄ２Ｄ同期信号を送信する制御を行う制御部を備え、前記制御部は、基地局が管理するセルから受信した信号の測定結果が閾値を超えたことに応じて、前記Ｄ２Ｄ同期信号の送信を抑制する制御を行う。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ユーザ端末に対して、Ｄ２Ｄ同期信号を送信することを停止させるための指示を送信する送信部を備える基地局。
【請求項２】
Ｄ２Ｄ同期信号を送信する制御を行う制御部を備え、
前記制御部は、前記Ｄ２Ｄ同期信号の送信を停止させるための指示を基地局から受信したことに応じて、前記Ｄ２Ｄ同期信号の送信を停止する処理を行うユーザ端末。
【請求項３】
基地局を制御するプロセッサであって、
ユーザ端末に対して、Ｄ２Ｄ同期信号を送信することを停止させるための指示を送信する処理を実行するプロセッサ。
【請求項４】
Ｄ２Ｄ同期信号を送信するユーザ端末を制御するプロセッサであって、
前記Ｄ２Ｄ同期信号の送信を停止させるための指示を基地局から受信したことに応じて、前記Ｄ２Ｄ同期信号の送信を停止する処理を実行するプロセッサ。
【手続補正３】
【補正対象書類名】明細書
【補正対象項目名】０００６
【補正方法】変更
【補正の内容】
【０００６】
一実施形態に係る基地局は、ユーザ端末に対して、Ｄ２Ｄ同期信号を送信することを停止させるための指示を送信する送信部を備える。また、一実施形態に係るユーザ端末は、Ｄ２Ｄ同期信号を送信する制御を行う制御部を備え、前記制御部は、前記Ｄ２Ｄ同期信号の送信を停止させるための指示を基地局から受信したことに応じて、前記Ｄ２Ｄ同期信号の送信を停止する制御を行う。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
Ｄ２Ｄ同期信号を送信する制御を行う制御部を備えるユーザ端末であって、
前記制御部は、
前記Ｄ２Ｄ同期信号の送信を停止させるための指示を基地局から受信したことに応じて、前記Ｄ２Ｄ同期信号の送信を停止する処理と、
前記ユーザ端末がネットワークのカバレッジ内にある場合において、
前記カバレッジ外の他のユーザ端末を検知する処理と、
前記他のユーザ端末を検知すると、当該他のユーザ端末の識別子を含む第１の報告を前記ネットワークに送信する処理と、
前記ユーザ端末のＤ２Ｄ通信エリアから前記他のユーザ端末が離れたかどうかを検知する処理と、
前記他のユーザ端末が離れたことを検知すると、第２の報告を前記ネットワークへ送信する処理と、
を行うユーザ端末。
【請求項２】
Ｄ２Ｄ同期信号を送信するユーザ端末を制御するプロセッサであって、
前記Ｄ２Ｄ同期信号の送信を停止させるための指示を基地局から受信したことに応じて、前記Ｄ２Ｄ同期信号の送信を停止する処理と、
前記ユーザ端末がネットワークのカバレッジ内にある場合において、
前記カバレッジ外の他のユーザ端末を検知する処理と、
前記他のユーザ端末を検知すると、当該他のユーザ端末の識別子を含む第１の報告を前記ネットワークに送信する処理と、
前記ユーザ端末のＤ２Ｄ通信エリアから前記他のユーザ端末が離れたかどうかを検知する処理と、
前記他のユーザ端末が離れたことを検知すると、第２の報告を前記ネットワークへ送信する処理と、
を実行するプロセッサ。
【手続補正３】
【補正対象書類名】明細書
【補正対象項目名】０００６
【補正方法】変更
【補正の内容】
【０００６】
一実施形態に係るユーザ端末は、Ｄ２Ｄ同期信号を送信する制御を行う制御部を備えるユーザ端末であって、前記制御部は、前記Ｄ２Ｄ同期信号の送信を停止させるための指示を基地局から受信したことに応じて、前記Ｄ２Ｄ同期信号の送信を停止する処理と、前記ユーザ端末がネットワークのカバレッジ内にある場合において、前記カバレッジ外の他のユーザ端末を検知する処理と、前記他のユーザ端末を検知すると、当該他のユーザ端末の識別子を含む第１の報告を前記ネットワークに送信する処理と、前記ユーザ端末のＤ２Ｄ通信エリアから前記他のユーザ端末が離れたかどうかを検知する処理と、前記他のユーザ端末が離れたことを検知すると、第２の報告を前記ネットワークへ送信する処理と、を行う。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
Ｄ２Ｄ同期信号を送信する制御を行う制御部を備えるユーザ端末であって、
前記制御部は、
前記Ｄ２Ｄ同期信号の送信を停止させるための指示を基地局から受信したことに応じて、前記Ｄ２Ｄ同期信号の送信を停止する処理と、
前記ユーザ端末がネットワークのカバレッジ内にある場合において、
前記カバレッジ外の他のユーザ端末を検知する処理と、
前記他のユーザ端末を検知すると、当該他のユーザ端末の識別子を含む第１の報告を前記ネットワークに送信する処理と、
前記ユーザ端末において前記他のユーザ端末からの所定Ｄ２Ｄ関連情報が検知されないと判断する処理と、
前記他のユーザ端末からの前記所定Ｄ２Ｄ関連情報が検知されないと判断すると、第２の報告を前記ネットワークへ送信する処理と、
を行うユーザ端末。
【請求項２】
Ｄ２Ｄ同期信号を送信するユーザ端末を制御するプロセッサであって、
前記Ｄ２Ｄ同期信号の送信を停止させるための指示を基地局から受信したことに応じて、前記Ｄ２Ｄ同期信号の送信を停止する処理と、
前記ユーザ端末がネットワークのカバレッジ内にある場合において、
前記カバレッジ外の他のユーザ端末を検知する処理と、
前記他のユーザ端末を検知すると、当該他のユーザ端末の識別子を含む第１の報告を前記ネットワークに送信する処理と、
前記ユーザ端末において前記他のユーザ端末からの所定Ｄ２Ｄ関連情報が検知されないと判断する処理と、
前記他のユーザ端末からの前記所定Ｄ２Ｄ関連情報が検知されないと判断すると、第２の報告を前記ネットワークへ送信する処理と、
を実行するプロセッサ。
【手続補正２】
【補正対象書類名】明細書
【補正対象項目名】０００６
【補正方法】変更
【補正の内容】
【０００６】
一実施形態に係るユーザ端末は、Ｄ２Ｄ同期信号を送信する制御を行う制御部を備えるユーザ端末であって、前記制御部は、前記Ｄ２Ｄ同期信号の送信を停止させるための指示を基地局から受信したことに応じて、前記Ｄ２Ｄ同期信号の送信を停止する処理と、前記ユーザ端末がネットワークのカバレッジ内にある場合において、前記カバレッジ外の他のユーザ端末を検知する処理と、前記他のユーザ端末を検知すると、当該他のユーザ端末の識別子を含む第１の報告を前記ネットワークに送信する処理と、前記ユーザ端末において前記他のユーザ端末からの所定Ｄ２Ｄ関連情報が検知されないと判断する処理と、前記他のユーザ端末からの前記所定Ｄ２Ｄ関連情報が検知されないと判断すると、第２の報告を前記ネットワークへ送信する処理と、を行う。
【国際調査報告】
2016021701.tif 000014
2016021701.tif 000015
2016021701.tif 000016